(57)【特許請求の範囲】
【請求項１】
天井に設置される器具に取り付けられる取り外し可能なオプション部材であって、
一方の端部と他方の端部とを有するオプション本体を備え、
一方の端部に、前記器具に取り付けられた軸を受ける長穴を有し、該オプション本体を前記長穴の長径方向にスライド自在となるよう保持する軸保持部と、
他方の端部に、前記器具の端部にあるスリットに引掛ける突起を有する引掛部と
を備え、
前記引掛部は、下部に切り欠き加工を行い、前記スリットに係合して、前記オプション部材がスライド方向にスライドするのを規制する下部固定部と、この下部固定部の上部に切り欠き加工を行った上部固定部とを備えた
ことを特徴とするオプション部材。
【請求項２】
前記長穴は、
前記オプション部材の長辺に対し略平行となるように設けたことを特徴とする請求項１記載のオプション部材。
【請求項３】
天井に設置され、取り外し可能なオプション部材を備える器具であって、
前記オプション部材は、
一方の端部と他方の端部とを有するオプション本体を備え、
一方の端部に、前記器具に取り付けられた軸を受ける長穴を有し、該オプション本体を前記長穴の長径方向にスライド自在となるよう保持する軸保持部と、
他方の端部に、前記器具の端部にあるスリットに引掛ける突起を有する引掛部と
を備え、
前記引掛部は、下部に切り欠き加工を行い、前記スリットに係合して、前記オプション部材がスライド方向にスライドするのを規制する下部固定部と、この下部固定部の上部に切り欠き加工を行った上部固定部とを備え、
前記器具は、
前記オプション部材の軸保持部の長穴を通る軸を備えた軸部と、
前記オプション部材の引掛部の突起を受けるスリットを有するオプション保持部と
を備えたことを特徴とする器具。
【発明の詳細な説明】
【技術分野】
【０００１】
本発明は、例えば、天井に取り付ける器具、オプション部材及びオプション部材を器具に取り付ける方法に関するものである。
【背景技術】
【０００２】
従来のオプション（ルーバー等）の取付方法は、器具の幅手両側にラッチ、及びヒンジを備え、ラッチを操作することにより、オプションの幅手片側を取り外すことができ、ヒンジを軸にオプションを回転させ、開閉することができる構造であった。また、長手端部に取り付ける手法は特許文献１に示す様にオプション端部に別部品として取付金具を必要とし、更にオプションの落下防止機能となるひも、チェーン、ワイヤー等を必要としていた。
【特許文献１】実開平６−３１０１５号公報
【発明の開示】
【発明が解決しようとする課題】
【０００３】
従来の方法では、オプション端部に別部品として取付金具を必要としているため、構造および取り付け方法が複雑となる課題があった。また、落下防止機能となるひも、チェーン、ワイヤー等を必要とするため部材数が多くなり、そのためコストがかかるという課題があった。
また、従来の方法では、照明器具本体側にラッチ、ヒンジを取り付ける為の角穴が、オプション装着前は目立ってしまう為、ノックアウト加工を設ける必要があった。
【０００４】
本発明は上記の課題を踏まえ、例えば、従来技術のラッチ（もしくは取付金具部分）をオプション本体と別部品とすることなく一体化することにより構造を簡略化し、従来技術と比較して少ないコストで製作することを目的とする。また、例えば、オプションの取り付け、取り外し作業が片手で行える様、ランプ交換時の作業量を低減することを目的とする。更に、従来の方法では必要であるノックアウト加工を省略することを目的とする。
【課題を解決するための手段】
【０００５】
本発明のオプション部材は、
天井に設置される器具に取り付けられる取り外し可能なオプション部材であって、一方の端部と他方の端部とを有するオプション本体を備え、一方の端部に、前記器具に取り付けられた軸を受ける長穴を有し、該オプション本体を前記長穴の長径方向にスライド自在となるよう保持する軸保持部と、他方の端部に、前記器具の端部にあるスリットに引掛ける突起を有する引掛部とを備えたことを特徴とする。
【発明の効果】
【０００６】
本発明によれば、器具本体の一方の端部に軸と、他方の端部にスリットを備え、オプション本体の一方の端部に前記軸を受ける長穴を有し、他方の端部に、前記スリットに引掛けるスリットを有しているため、従来技術のラッチ（もしくは取付金具部分）をオプション本体と別部品とすることなく、器具本体とオプション部材を一体化でき、構造を簡略化できる為、従来技術と比較して少ないコストで製作が可能となる効果を奏する。また、オプション部材をスライドすることにより、オプションの取り付け、取り外し作業が片手で行える為、ランプ交換時の作業量を低減させるという効果を奏する。
【０００７】
更に、従来の手法では器具本体側にラッチ、ヒンジを取り付ける為の角穴が、オプション部材装着前は目立ってしまい、ノックアウト加工を設ける必要があったが、本発明の方式ではオプション部材側面に軸を取り付ける長穴と、オプション部材の引掛部と、器具本体端部に取り付ける為のスリットとをオプション部材の装着前に目立たない状態で加工可能であるため、ノックアウト加工を省略できるという効果を奏する。
【発明を実施するための最良の形態】
【０００８】
実施の形態１．
実施の形態１について、図１、図２、図１１、図１２、図１３を用いて説明する。
【０００９】
図１は、本実施の形態１に係る器具及びオプション部材を示す分解斜視図である。図２は、器具にオプション部材を取り付ける方法を示す図である。器具とはうつわであって、例えば、天井に取り付ける照明を入れるためのケースが器具に当てはまる。また、オプション部材とは、器具の一部であって、取り外し可能な部材である。例えば、照明装置が入った前記器具であれば、器具の蓋、カバー、蛍光灯の光の放射方向を制限するルーバー等がオプション部材に当たる。
【００１０】
本実施の形態１に係る器具およびオプション部材の構造について、図１を用いて説明する。器具１０は天井に設置される器具であって、形状は直方体であり、図に示していないが、一般的には蛍光灯等の照明装置が中に備え付けられている。また、オプション部材２０は、図１に示す例では直方体の形状をした照明装置を覆うカバーであるが、これは一例であり、オプション部材２０は蛍光灯の光の放射方向を制限するルーバーであっても構わない。
【００１１】
オプション部材２０はオプション本体２１を備えている。オプション本体２１は一方の端部２２と、他方の端部２３とを有する。本実施の形態では、オプション本体は直方体の形状をしている。オプション右側面７０、オプション左側面７１は面として構成されているが、オプション上面７２およびオプション底面７３は空いていても構わない。また、オプション正面７４及びオプション裏面７５も空いていても構わない。すなわち、オプション右側面７０とオプション左側面７１とが一定の間隔Ｔで維持できればどのような形状でも構わない。図１３にオプション本体２１の他の例を示す。図１３（ａ）はオプション底面７３によりオプション右側面７０とオプション左側面７１とが維持されている。照明を覆うケースがこれに該当する。図１３（ｂ）はオプション上面７２が２枚の板で構成されており、その２本の棒によりオプション右側面７０とオプション左側面７１との間隔Ｔを維持されている。図１３（ｃ）はオプション右側面７０とオプション左側面７１との間に複数の板を設けオプション右側面７０とオプション左側面７１との間隔Ｔを維持している。ルーバー等がこれに該当する。図１３（ｄ）は、オプション右側面７０とオプション左側面７１との形状を針金等で構築し、２枚の板でつなげたものである。
【００１２】
オプション本体２１の一方の端部２２の側面両側（オプション右側面７０及びオプション左側面７１）に、後述する器具本体１１に取り付けられた軸１４を受ける軸保持部２４が備えられている。軸保持部２４には、オプション部材２０の側面の長辺に対し略平行となるように、長穴２９が設けられている。オプション右側面７０とオプション左側面７１の軸保持部には、同じ高さＲで長穴２９が設けられている。当該長穴２９に後述する器具本体１１の軸１４を通すことにより、オプション部材２０の一端が軸１４により係止され、横方向（ＡＢ方向）にスライド可能に、かつ、器具１０に対してＣＤ方向に回動可能に取付けることが可能となる。
【００１３】
また、この長穴２９の形状は、図１では、オプション部材２０の長辺と略平行となるように設けている。平行に設けることにより、オプション部材２０の取り外し容易にする効果を奏する。また、略平行に長穴２９を設けるのは長穴２９の形状の一例であり、例えば、図１１（ａ）若しくは図１１（ｂ）に示すように、オプション部材２０の長辺に対し傾斜をつけた長穴として設けても構わないし、図１１（ｃ）若しくは図１１（ｄ）に示すように長穴２９を弧状長穴としたものでも構わない。長穴２９の長径方向をオプション部材２０の長辺に対し傾斜をつけたり、長穴２９の形状を弧状長穴とすることにより、オプション部材をより強固に器具本体に取り付け、取り外し難くするという効果を奏する。
【００１４】
オプション本体２１の他方の端部２３には、引掛部２５が有る。引掛部２５には、板状の突起２６が２箇所に設けられている。この突起２６を、後述する器具本体１１の端部にあるオプション保持部１２に設けられたスリット１５に差し込むことにより、オプション部材２０を係止し、器具本体１１の軸１４とあわせて、オプション部材２０が落下することを防ぐ。
【００１５】
器具１０は、器具本体１１と、端部に軸部１３と、他方の端部にオプション保持部１２とを備えている。器具本体１１は、オプション部材２０より一回り大きい直方体の形状をしている。器具本体１１は図１では、オプション部材２０の形状に合わせた直方体の形状である。器具１０の形は、端部に軸部１３と、他方の端部にオプション保持部１２とを備えていれば、どのようなものでもよい。ただし、器具右側面８０と器具左側面８１との間隔Ｓは、前記オプション本体のオプション右側面７０とオプション左側面７１との間隔Ｔよりも大きい必要がある。図示していないが、器具本体上部は一般的に蛍光灯等の照明装置が備えられており、底部はオプション部材２０等を下方から格納するため空いた状態となっている。軸部１３には軸穴１６が設けられている。軸１４は、例えば、ネジであり、軸穴１６に軸１４を通し、回転させることにより、軸１４を器具本体１１に固定する。
器具本体１１の他方の端部には、オプション保持部１２が有る。図の例ではオプション保持部１２には、スリット１５が二つ設けられている。このスリット１５は、オプション部材２０の引掛部２５に備えられた突起２６と係合するよう設けられている。このスリット１５にオプション部材２０の突起２６を通し係合することにより、オプション部材２０がＣＤ方向に回動することを係止する。
【００１６】
突起２６は、下部固定部２８として器具本体１１の端部のスリット１５に引掛けるための爪加工が施されている。この下部固定部２８は、突起２６をスリット１５に挿した後、オプション部材２０の位置を固定できるようにＶ字状又はＵ字状に切り込み加工したものである。
下部固定部２８を設けることにより、オプション部材２０を、より確実に器具１０に取り付けることが可能となる効果を奏する。
【００１７】
また、突起２６には、上部固定部２７として、Ｖ字状又はＵ字状に上部にも切り込み加工が施されている。この上部固定部２７は、地震等の災害時にオプション部材２０が上下方向（ＥＦ方向）に震動した場合、オプション部材２０が器具１０よりはずれ落下することを防ぐために設けている。
上部固定部２７を設けることにより、オプション部材２０を、より安全な状態で器具１０に固定することが可能となる効果を奏する。
【００１８】
図では、オプション部材２０の突起２６の形状は、板状でありオプション部材の上下方向（ＥＦ方向）すなわち縦方向に設置している。そのため、器具１０のスリット１５も、突起２６の形状に合わせて縦方向に長い形状の穴（孔）として設けている。縦方向に長い形状の穴（孔）は突起２６及びオプション保持部１２の形状の一例であり、図１２（ｄ）に示すように、突起２６の形状が棒状であれば、棒を通すことが出来る穴でも構わない。また、図１２（ａ）のように突起２６の板を横に設置しても構わない。また、２箇所に突起２６を設けているが、図１２（ｂ）のように中央部付近に１箇所の突起２６を設けても構わないし、図１２（ｃ）のように、２箇所以上複数設けても構わない。突起２６を複数設けた場合は、より強固にオプション部材２０を固定できるという効果を奏する。
【００１９】
次に、オプション部材２０を器具１０に取り付ける取り付け方法について、図２を用いて説明する。まず最初に、オプション部材の一方の端部２２を器具１０の底面から挿入し、長穴２９、軸穴の順に器具本体とオプション部材との内側から軸１４を通す（軸取付ステップ）。この段階で、オプション部材２０の一端を器具１０に対してＣＤ方向に回動可能に取り付けることが出来る。他方の端部は、器具に固定されていないため、オプション部材は重力方向にぶら下がることになる。
【００２０】
次に、他方の端部の突起２６と、器具本体１１のスリットとが略同じ高さとなるよう、軸１４を中心にオプション部材２０をＤ方向に回動させ、他方の端部２３を持ち上げる（オプション部材回動ステップ）。
【００２１】
次に、オプション部材２０を、長穴２９の長径方向（横方向、水平方向、Ａ方向）にスライドさせ、引掛部２５の突起２６をスリット１５に挿入する（オプション部材スライドステップ）。
【００２２】
最終的に自重によりオプション部材２０がＦ方向に下がることにより、突起２６の下部固定部２８がスリット１５の下端に係止され、オプション部材２０は器具１０に固定することが可能となる（オプション部材引掛ステップ）。
【００２３】
本実施の形態によれば、器具本体の一方の端部に軸と、他方の端部にスリットを備え、オプション本体の一方の端部に前記軸を受ける長穴を有し、他方の端部に、前記スリットに引掛けるスリットを有しているため、従来技術のラッチ（もしくは取付金具部分）をオプション本体と別部品とすることなく、器具本体とオプション部材を一体化でき、構造を簡略化できる為、従来技術と比較して少ないコストで製作が可能となる効果を奏する。また、オプション部材をスライドすることにより、オプションの取り付け、取り外し作業が片手で行える為、ランプ交換時の作業量を低減させるという効果を奏する。
【００２４】
更に、従来の手法では器具本体側にラッチ、ヒンジを取り付ける為の角穴が、オプション部材装着前は目立ってしまい、ノックアウト加工を設ける必要があったが、本実施の形態１の方式ではオプション部材側面に軸を取り付ける長穴と、オプション部材の引掛部と、器具本体端部に取り付ける為のスリットとをオプション部材の装着前に目立たない状態で加工可能であるため、ノックアウト加工を省略できるという効果を奏する。
【００２５】
実施の形態２．
実施の形態２について、図３〜図７を用いて説明する。実施の形態２は、実施の形態１のオプション部材２０をルーバーとした場合の例であり、以下には、主として前述した実施の形態１と異なる点について説明する。
【００２６】
図３は、実施の形態１のオプション部材２０をルーバーとした場合の平面図及び断面図である。図３（ｂ）は、本実施の形態２に係る器具にオプション部材を取り付けた状態を示す平面図であり、図３（ａ）は、本実施の形態２に係る器具にオプション部材を取り付けた状態を示すＡ−Ａ断面図である。オプション部材２０の２本のオプション本体２１の間にはルーバー３０が略等間隔に取り付けられている。以下、２本のオプション本体２１を区別しないときは、単にオプション本体２１という。
図４は、実施の形態２に係るオプション部材の取り付け時における動作を示す図である。図５は、本実施の形態２に係る器具１０を示す四面図である。図６は、本実施の形態２に係るオプション部材２０を示す四面図である。図７は、本実施の形態２に係る器具にオプション部材を取り付けた場合を示す図３（ｂ）のＤ−Ｄ断面図である。図８は、本実施の形態２に係る器具にオプション部材を取り付けるための軸を示す図である。
【００２７】
図５に本実施の形態に係るオプション部材２０であるルーバーを示す。図３と同様にオプション本体２１にルーバー３０が平行にかつ略等間隔に取り付けられている。このルーバー３０の形状は一例であり、ルーバー３０は縦横に配置した格子状に取り付けられたものであっても構わないし、ルーバー３０の間隔は図５に示した間隔よりも、大きくても小さくても構わない。また、ルーバー３０はオプション本体２１の長径方向に対して略垂直に取り付けているが、傾斜して取り付けても構わない。オプション本体２１の先端Ａ部には本体端部のスリットに引掛ける為の爪加工を施している。この爪は、器具本体１１のスリット１５に挿した後ルーバー位置が固定できる様に、下部に切り欠き加工を行っている（図５（ｅ）参照）。ルーバー（オプション部材２０）の終端側面には、軸１４を取り付ける為の長穴２９が有る。この長穴２９により、ルーバー（オプション部材２０）はＣＤ方向への回転移動に加え、前後（ＡＢ方向）にスライド移動が可能である。本実施の形態ではスライド移動の可動範囲Ｌは略２０ｍｍであるが、これはスライド移動の範囲の一例であり、突起２６の大きさＭに合わせて、２０ｍｍ以下の長さ（例えば１０ｍｍ）でも構わないし、２０ｍｍ以上（例えば３０ｍｍ）でも構わない。ただし、長穴２９の長径Ｌは突起２６の大きさＭよりも大きく（Ｌ＞Ｍ）なければならない。また、器具本体１１の内面９０と軸１４との距離Ｎは、突起２６の大きさＭよりも大きくなければならず（Ｎ＞Ｍ）、さらに長穴２９の長径Ｌよりも大きいことが望ましい（Ｎ＞Ｌ）。
【００２８】
図６に本実施の形態に係る器具１０の本体であるケースＡＳＳＹ（アッセンブリー）を示す。器具１０のケース側面には軸１４を取り付ける為のネジ穴（バーリング、軸穴１６）を４ヶ所設けている。さらに、ケース端部にはルーバー先端の爪（突起２６）を引掛ける為のスリット１５を４ヶ所設けている。実際に使用するのはネジ穴（軸穴１６）、スリット１５共に２ヶ所であるが、ルーバー（オプション部材２０）の取り付け方向を２者択一で任意に設定できる。
【００２９】
図４にオプション部材２０の開閉状態を示す。実際には本体端部スリット１５に挿したルーバー先端の爪（突起２６）を斜め後方（Ｈ方向）に持ち上げる要領でスリットから外す事により、自重でルーバー（オプション部材２０）がＣ方向へ回転移動し、器具本体１１から外れた状態になる。ルーバー（オプション部材２０）の移動経路を図中に矢印とルーバーの軌跡で示す。
【００３０】
図７に軸１４として使用するネジを示す。図７（ａ）はネジ（軸１４）の平面図、図７（ｂ）はネジ（軸１４）の側面図である。このネジ（軸１４）は、ネジ頭の根元からオプション本体２１で使用する材料の厚み分Ｐ（後述の図８（ｂ）を参照）の範囲に長さＱの不完全ネジ部３７（ネジ山加工を行わない部分）を設けている（Ｐ＝Ｑ又はＰ＜Ｑ）。これにより、ネジを締め付けても、オプション部材２０は、器具１０に固定される事なく、前後へのスライド移動、及び回転移動が可能となる。範囲Ｑ以外の部分はネジ部３８である。また、軸１４のネジ頭には軸つまみ部３５が備えられており、マイナスドライバー等で引掛けて回転させ締め付けられるよう、軸凹部３６が有る。また、手でも容易に締め付けられるよう、軸つまみ部３５の周囲には滑り止め９１が設けられている。
【００３１】
図８（ａ）はオプション部材２０を取り付けた状態の器具１０の図３のＤ−Ｄ断面図であり、図８（ｂ）は図８（ａ）の一部を拡大したネジ取付部詳細断面図である。ネジ取付部詳細断面図は、ネジ穴（軸穴１６）と長穴２９に図７で示した軸１４を挿入し、オプション本体２１と器具本体１１とを係合した場合の断面図である。端板１１ａは、器具本体１１の側面に取り付けられた部材である。右下のネジ取付部詳細断面図に示す斜線部が図７で示した軸１４の不完全ネジ部３７である。また、オプション本体２１のネジ穴（軸穴１６）はメネジであり、また、ネジ部３８はオネジである。ネジ穴（軸穴１６）とネジ部３８は軸つまみ部３５によりネジ締めが可能である。図７で示したように不完全ネジ部３７の長さＱは、オプション本体２１で使用する材料の厚みＰと同様かそれ以上有ればよい。ただし、ネジ穴（軸穴１６）でネジ締めが可能な範囲である必要が有る。図８（ｂ）の様に、ケース側（器具本体）のネジ穴（軸穴１６）に不完全ネジ部３７が接する為、ネジ（軸１４）はこれ以上締め付けることはできず、ルーバー（オプション部材２０）が器具１０に固く固定されない為、ルーバー（オプション部材２０）は前後移動、回転移動をスムーズに行うことが可能となる。尚、図８（ａ）には、オプション本体２１に取り付けられたルーバー３０及びスリット１５が表示されている。
【００３２】
本実施の形態では、オプション本体２１は２本で構成されるものとして説明したが、図１４（ａ）で示すようにオプション本体２１は１本で構成されていても構わない。さらに、図１４（ｂ）で示すように、例えば、オプション本体２１を平行に複数並べることにより、３本以上で構成されていても構わない。
【００３３】
本実施の形態によれば、実施の形態１の効果に加え、器具本体に４ヶ所のネジ穴を備え、さらに４ヶ所のスリットを備えている。実際に利用するのは２ヶ所のネジ穴と、２ヶ所のスリットであるが、ルーバー（オプション部材２０）の取り付け方向を２者択一で任意に設定できる効果を奏する。
さらに、軸に不完全ネジ部を設けることにより、ネジを締め付けても、オプション部材を器具に固定されることなく、前後へのスライド移動、及び回転移動を可能とする効果を奏する。
【００３４】
実施の形態３．
実施の形態３について図９〜図１０を用いて説明する。実施の形態３は、実施の形態２で示したルーバー（オプション部材２０）及び器具１０を使用した照明器具６０の実施形態の一例を示したものである。照明器具６０は、例えば、６００ｍｍグリッド幅のシステム天井用器具であり、実施の形態２で示したルーバー（オプション部材２０）、器具１０を２個ずつ使用し、１台のシステム天井器具として構成されている。以下には、主として前述した実施の形態と異なる点について説明する。
【００３５】
図９（ａ）は、照明器具６０の平面図、図９（ｂ）は、照明器具６０の底面図、図１０（ａ）は図９に示した照明器具６０のＥ−Ｅ断面図、図１０（ｂ）は図９に示した照明器具６０のＦ−Ｆ断面図である。
図９（ａ）に示すように、照明器具には電源端子台４７が備えられている。また、照明器具６０に取り付けられた二つの器具１０の上面には、廃熱用のリターン穴４６が備えられている。
【００３６】
また、図９（ｂ）に示すように照明器具６０を構成する器具１０には内部配線用として、片側の側面にのみ、２箇所の角穴３３を設けている。照明器具６０では２つの器具１０の角穴３３が、どちらも照明器具６０の中心側に配置される様、設備プレート４３により並べて組合わされている。２つの器具１０にはあらかじめ４ヶ所のルーバー取付用ネジ穴（軸穴１６）及び４ヶ所のルーバー引掛け爪用スリット１５を設けている為、照明器具６０を天井に取り付ける際、どの様な配置であっても、２つの器具１０に取り付けたルーバー（オプション部材２０）を同方向から取り付けつつ、かつ、同方向に開閉させることができる。
【００３７】
図９（ｂ）に示すように、照明器具６０に備えられた２つの器具１０の間には、設備プレート４３が設けられている。照明器具６０を天井に設置する場所により、設備プレート４３の間には空調吹出口４２を設けても構わないし空調吹出口は無くても構わない。また、図１０（ａ）に示すように、設備プレートの落下を防止するための設備プレート落下防止吊具４４が備えられている。
【００３８】
さらに、照明器具６０の周辺には、照明器具６０を天井ユニットに設置するためのメインバー４０及びクロスバー４１が有る。これを用いて天井から吊り下げられたＴバー３９（図１０参照）に係合させることにより、照明器具６０を天井に備え付けることが可能となる。
【００３９】
図１０（ａ）の照明器具６０の断面図に示すように、２つの器具１０の内部にはそれぞれに照明装置としての灯体５０が設置されている。灯体５０にはランプソケット４９と反射板５１が備えられており、さらにランプソケット４９にはランプ６１が取り付けられている。ランプ６１がランプソケット４９から落ちないよう、ランプフォルダー５４が備えられている。照明器具６０に取り付けられた器具１０の一方に電子安定器４８が備えられている。この電子安定器４８からは角穴３３を通じて、他方の器具１０にも配線することが可能となっている。
また、さらに、Ｔバー３９に、照明器具６０を取り付けることができるよう、Ｔバー取付金具兼接続金具５２、ルーバー引掛ツメ５３が照明器具６０の周囲に設置されている。
【００４０】
尚、実施の形態３では、オプション部材２０の一例として、ルーバーを示したが、カバーオプションもオプション部材２０の先端に引掛け爪（突起２６）を設け、オプション部材２０の側面の軸保持部２４に長穴２９を設けることにより、本方法にて取り付ける事が可能である。
【００４１】
実施の形態３では、器具１０を２台用いて構成された、例えば、システム天井ユニットである照明器具６０について説明した。本形態によれば、実施の形態１及び２で示した効果に加え、器具１０に複数の角穴を備え付けることにより、システム天井ユニットの取付位置がどのような場合であっても、オプション部材２０を器具１０に同方向から取り付けつつ、かつ、同方向に開閉させることが可能となる効果を奏する。
【００４２】
また、実施の形態１〜３で示した、オプション部材の取り付け方法は、オプション部材を設備プレートとすることにより、天井に設置する設備プレート（例えば天井の点検孔等）の開閉にも流用可能である。
【図面の簡単な説明】
【００４３】
【図１】本実施の形態１に係るオプション部材及び器具の分解斜視図である。
【図２】本実施の形態１に係る器具へオプション部材を取り付け方法を示す図である。
【図３】本実施の形態２に係るオプション部材及び器具の平面図及び断面図である。
【図４】本実施の形態２に係るオプション部材の取り外し動作を示す図である。
【図５】本実施の形態２に係るオプション部材を示す図である。
【図６】本実施の形態２に係る器具を示す図である。
【図７】本実施の形態２に係るオプション部材を取り付ける軸を示す図である。
【図８】本実施の形態２に係るオプション部材及び器具のＤ−Ｄ断面図である。
【図９】本実施の形態３に係る器具の平面図及び底面図である。
【図１０】本実施の形態３に係る器具の断面図である。
【図１１】本実施の形態に係る長穴の他の実施例を示す図である。
【図１２】本実施の形態に係る突起の他の実施例を示す図である。
【図１３】本実施の形態に係るオプション本体の他の実施例を示す図である。
【図１４】本実施の形態に係るオプション本体の他の実施例を示す図である。
【符号の説明】
【００４４】
１０  器具、１１  器具本体、１２  オプション保持部、１３  軸部、１４  軸、１５  スリット、１６  軸穴、２０  オプション部材、２１  オプション本体、２２  一方の端部、２３  他方の端部、２４  軸保持部、２５  引掛部、２６  突起、２７  上部固定部、２８  下部固定部、２９  長穴、３０  ルーバー、３１  側面天井取付部、３２  上面天井取付部、３３  角穴、３４  通線開口部、３５  軸つまみ部、３６  軸凹部、３７  不完全ネジ部、３８  ネジ部、３９  Ｔバー、４０  メインバー、４１  クロスバー、４２  空調吹出口、４３  設備プレート、４４  設備プレート落下防止吊具、４６  リターン穴、４７  電源端子台、４８  電子安定器、４９  ランプソケット、５０  灯体、５１  反射板、５２  Ｔバー取付金具兼接続金具、５３  ルーバー引掛ツメ、５４  ランプフォルダー、６０  照明器具、６１  ランプ、７０  オプション右側面、７１  オプション左側面、７２  オプション上面、７３  オプション底面、７４  オプション正面、７５  オプション裏面、８０  器具右側面、８１  器具左側面、８２  器具上面、８３  器具底面、８４  器具正面、８５  器具裏面、９０  内面、９１  滑り止め。
【図１】
0004575306.tif 000002
【図２】
0004575306.tif 000003
【図３】
0004575306.tif 000004
【図４】
0004575306.tif 000005
【図５】
0004575306.tif 000006
【図６】
0004575306.tif 000007
【図７】
0004575306.tif 000008
【図８】
0004575306.tif 000009
【図９】
0004575306.tif 000010
【図１０】
0004575306.tif 000011
【図１１】
0004575306.tif 000012
【図１２】
0004575306.tif 000013
【図１３】
0004575306.tif 000014
【図１４】
0004575306.tif 000015